(57)【特許請求の範囲】
【請求項１】
箸の一方の端部に先細り形状の第１先端部を有し、箸の他方の端部に先細り形状の第２先端部を有する箸であって、
前記第１先端部と持ち手部との間に、前記第１先端部から持ち手部への液垂れを防止する第１液垂れ防止手段、及び／又は、前記第２先端部と持ち手部との間に、前記第２先端部から持ち手部への液垂れを防止する第２液垂れ防止手段を設けている箸。
【請求項２】
前記第１先端部と前記第２先端部とが視覚的に識別可能である請求項１に記載の箸。
【請求項３】
前記持ち手部の短手方向断面形状における断面重心から前記短手方向断面形状の外郭線の一点までの距離と、前記断面重心から前記外郭線の他の一点までの距離とが相違する請求項１または請求項２に記載の箸。
【発明の詳細な説明】
【技術分野】
【０００１】
本発明は、箸の両端にそれぞれ先細り形状の先端部を有する箸に関する。
【背景技術】
【０００２】
従来より、一端のみに先細り形状の先端部を有する箸が知られている（例えば、特許文献１）。このような箸を親子が共有して使用した場合、親の虫歯菌が子供に移ってしまうという問題があった。また、親子間の共有だけでなく、介護者と被介護者が上述のような箸を共有した場合、病原体が感染する恐れがある。
【０００３】
また、箸の両端にそれぞれ先細り形状の先端部を有する箸として、いわゆる「祝箸」が知られている（例えば、非特許文献1）。このような箸であれば、一端の先端部は食べさせる側の人が使用し、他端の先端部は食べさせられる側の人が使用するという風に区別して使用すれば、上記問題は解決されるとも思える。
【先行技術文献】
【特許文献】
【０００４】
【特許文献１】特開平６−１２１７２７号公報
【非特許文献１】Ｊａｐａｎｃｒａｆｔ．ｊｐ  伝統工芸ギャラリー  迎春１月「祝い箸」  http://japancraft.jp/dictionary/ja/syunnomono/geisyunjanuary/iwaibashi/
【発明の概要】
【発明が解決しようとする課題】
【０００５】
しかしながら、一方の先端部を使用した後、持ち手部分を持ち替えて他方の先端部を使用した場合、一方の先端部に付着した、味噌汁、スープ、ドレッシング等の液体が持ち手部分に垂れてくるので、手が汚れるうえに、衛生的にも問題があった。
【課題を解決するための手段】
【０００６】
前記した目的を達成するために、本発明に係る箸は、箸の一方の端部に先細り形状の第１先端部を有し、箸の他方の端部に先細り形状の第２先端部を有する箸であって、前記第１先端部と持ち手部との間に、前記第１先端部から持ち手部への液垂れを防止する第１液垂れ防止手段、及び／又は、前記第２先端部と持ち手部との間に、前記第２先端部から持ち手部への液垂れを防止する第２液垂れ防止手段を設けている。
【０００７】
前記第１先端部と前記第２先端部とが視覚的に識別可能であることが好ましい。
【０００８】
前記持ち手部の短手方向断面形状における断面重心から前記短手方向断面形状の外郭線の一点までの距離と、前記断面重心から前記外郭線の他の一点までの距離とが相違することが好ましい。
【発明の効果】
【０００９】
このように、本発明に係る箸によれば、一対の箸を親子間、介護者と非介護者とで共有しても病原体が感染することなく、かつ、手も汚れず衛生的に使用することができる。
【図面の簡単な説明】
【００１０】
【図１】本発明の一実施形態に係る箸の正面図である。
【図２】図２（ａ）は、図１の箸の右側面図であり、図２（ｂ）は、図１の箸の左側面図である。
【図３】図３（ａ）は、図1のＡ−Ａ断面図であり、図３（ｂ）は、図１のＢ−Ｂ断面図であり、図３（ｃ）は、図１のＣ−Ｃ断面図である。
【図４】持ち手部の形状が異なる箸の一例を示す正面図である。
【図５】図５（ａ）は、図４のＤ−Ｄ断面図であり、図５（ｂ）は、図４のＥ−Ｅ断面図であり、図５（ｃ）は、図４のＦ−Ｆ断面図である。
【図６】種々の液垂れ防止手段の構成を示す図である。
【図７】第１先端部と第２先端部とが視覚的に識別可能である箸の一例を示す図である。
【発明を実施するための形態】
【００１１】
以下、本発明に係る実施形態を図面に従って説明するが、本発明はこの実施形態に限定されるものではない。
【００１２】
図１は、本発明の一実施形態に係る一対の箸のうち代表として一方のみを示した正面図である。他方の箸も図１と同一形態を有している。図１にあらわされた細線は立体表面の形状を表す稜線である。図示しないが、図１の箸は、背面図は正面図と対称であり、平面図と底面図は、正面図と同一である。
【００１３】
図１に示す箸は、持ち手部３の一方端側に先細り形状の第１先端部１を有し、持ち手部３の他方端側にも先細り形状の第２先端部２を有する箸である。本明細書において、「先端部Ｐ（１，２）」とは、食べ物を摘まむ等して口に運ぶ部分のことをいう。
【００１４】
本実施形態に係る箸の第１先端部１及び第２先端部２は、共に先端側に向けて先細りのテーパー形状であり、かつ、各先端にそれぞれ丸みを設けている。先端部Ｐ（１，２）の形状は、食べ物を摘まむことができれば特に限定されるものではなく、例えば、先端側に向けて先細りの略四角錐台形状等にしてもよい。
【００１５】
第１先端部１と第２先端部２の長さを異ならせることが好ましい。具体的には、図１に示すように、第１先端部１の長さを、第２先端部２の長さと比べて長くしている。長さの短い先端部Ｐ（１，２）側を、食べさせられる側の人に使用すればより安全に食べさせることができる。また、先端部Ｐ（１，２）の長さを異ならせることにより、第１先端部１と第２先端部２とが視覚的に識別可能となり、食べさせる側の人が使用する先端部Ｐ（１，２）と、食べさせられる側の人が使用する先端部Ｐ（１，２）とを容易に区別することができる。
【００１６】
図２（ａ）は、図１の箸の右側面図であり、図２（ｂ）は、図１の箸の左側面図である。図２（ａ）（ｂ）に示すように、第１先端部１と第２先端部２における先端部Ｐ（１，２）分の径方向長さを異ならせることが好ましい。具体的には、第２先端部２分における先端部分の径方向長さを、第１先端部１における径方向長さよりも長く形成することにより、第２先端部２における先端部分が、第１先端部１における先端部分に比べて、太く、かつ、丸みを帯びている。したがって、第２先端部２を食べさせられる側の人に使用すれば、より安全に食べさせることができる。
【００１７】
本実施形態に係る箸は、図１及び図２（ａ）（ｂ）に示すように、第１先端部１と第２先端部２の長さを異ならせると共に、第１先端部１と第２先端部２とのテーパー角度を異ならせている。具体的には、第１先端部１の長さは、第２先端部２の長さよりも長く形成されていると共に、第１先端部１のテーパー角度は第２先端部２のテーパー角度よりもきつく形成されている。
【００１８】
したがって、第１先端部１の方が、第２先端部２に比べて、長く、かつ、尖っている。つまり、第２先端部２の方が、第１先端部１に比べて、短く、かつ、丸みを帯びている。このように形成された箸を使用する場合、食べさせる側の人が第１先端部１を使用し、食べさせられる側の人は第２先端部２を使用すれば、衛生的かつ安全に食することができる。
【００１９】
図３（ａ）は、図１のＡ−Ａ断面図であり、図３（ｂ）は、図１のＢ−Ｂ断面図であり、図３（ｃ）は、図１のＣ−Ｃ断面図である。なお、図１に示す箸の持ち手部３は、持ち手部３を２等分する仮想面に対して略対称の形状をしているため、持ち手部３の第２先端部２寄りの断面図は省略する。
【００２０】
本実施形態に係る箸の持ち手部３は、図３（ａ）に示すように、持ち手部３の中央と中央近傍の断面は、略角丸矩形形状であり、先端部Ｐ（１，２）側に向かうに従って漸次角部が丸みを帯び（図３（ｂ）参照）、図３（ｃ）に示すように先端部Ｐ（１，２）の近傍の断面が円形状になるように形成されている。また、先端部Ｐ（１，２）に向かうに従って、断面における最長部分の寸法が小さくなるように形成されている。つまり、先端部Ｐ（１，２）に向かうに従って先細り形状になっている。このような構成であれば、箸を食卓等に載置した場合、箸が転がるのを防止できると共に、第１先端部１と第２先端部２とがそれぞれ載置面に接触することなく載置できるので衛生的に使用することができる。また、一対の箸のそれぞれの持ち手部３の中央を当接させることにより、体裁よく並べることができる。さらに、持ち手部３の各先端部Ｐ（１，２）側の断面を略円形状にすることにより、食べ物を箸で摘まむときに、一対の箸の持ち手部３同士が当接することなく、使い勝手の良いものとなる。
【００２１】
図４は、図１の箸の持ち手部３と異なる形状の持ち手部３を有する箸の一例であり、持ち手部３以外は図１に示す箸と同様である。図５（ａ）は、図４のＤ−Ｄ断面図であり、図５（ｂ）は、図４のＥ−Ｅ断面図であり、図５（ｃ）は、図４のＦ−Ｆ断面図である。なお、図４に示す箸の持ち手部３は、持ち手部３を２等分する仮想面に対して略対称の形状をしているため、持ち手部３の第２先端部２寄りの断面図は省略する。
【００２２】
図４に示す箸の持ち手部３は、図５（ａ）に示すように、持ち手部３の中央と中央近傍の断面を円形状とし、先端部Ｐ（１，２）側に向かうに従って漸次角部を形成させ（図５（ｂ）参照）、先端部Ｐ（１，２）の近傍の断面を略角丸矩形状にしている。
【００２３】
このような箸であれば、箸が転がるのを防止できると共に、第１先端部１と第２先端部２とがそれぞれ載置面に接触することなく載置できる。
【００２４】
持ち手部３は、箸を食卓等に載置した状態にて、転がりにくい形状であることが好ましく、持ち手部３の少なくとも一部の断面を、三角形、四角形、五角形、六角形等の多角形にしたり、持ち手部３に凸部を形成する等、持ち手部３の短手方向断面形状における断面重心から短手方向断面形状の外郭線の一点までの距離と、前記断面重心から前記外郭線の他の一点までの距離とが相違している形状を、持ち手部３の少なくとも一部に有していることが好ましい。また、食卓等に箸を載置した場合に、第１先端部１と第２先端部２とが共に載置面に接触しない構成のものが好ましい。
【００２５】
本実施形態に係る箸には、図１に示すように、第１先端部１から持ち手部３への液垂れを防止する第１液垂れ防止手段４（ＤＰ）が、第１先端部１と持ち手部３との間に設けられており、第２先端部２から持ち手部３への液垂れを防止する第２液垂れ防止手段５（ＤＰ）が、第２先端部２と持ち手部３の間に設けられている。
【００２６】
図６（ａ）は、図１に示す、第１液垂れ防止手段４の拡大斜視図である。なお、図１に示す箸の第２液垂れ防止手段５は、第１液垂れ防止手段４の構成と同様である。
【００２７】
図１及び図６（ａ）に示すように、第１先端部１における持ち手部３側の端部（以下、「第１先端部持ち手側端部１１」という。）と、持ち手部３における第１先端部１側の端部（以下、「第１持ち手端部３１」という。）と間に、周状の溝６（以下、「第１溝６１」という場合がある。）連続して設けられており、第１溝６１と第１溝６１の間には、周状の凸状部７（以下、「第１凸状部７１」という。）が形成され、第１持ち手端部３１から内側に向けて環状壁８（以下、「第１環状壁８１」という。）が形成される。同様に、第２先端部２における持ち手部３側の端部（以下、「第２先端部持ち手側端部２１」という。）と、持ち手部３における第２先端部２側の端部（以下、「第２持ち手端部３２」という。）との間に、周状の溝６（以下、「第２溝６２」という場合がある。）が連続して設けられている。第２溝６２と第２溝６２との間に、周状の凸状部７（以下、「第２凸状部７２」という。）が形成され、第２持ち手端部３２から内側に向けて環状の壁（以下、「第２環状壁８２」という。）が形成される。本実施形態において、溝６は連続して二つ設ける構成としている。溝６を複数設ける構成とすれば、先端部Ｐ（１，２）から持ち手部３への液垂れをより確実に防止できるので好ましが、図５（ｂ）に示すように、溝６を一つ設ける構成とすることもできる。
【００２８】
第１凸状部７１の最も突出した部分は、第１先端部持ち手側端部１１と第１持ち手端部３１とを結ぶ仮想線（図１中の二点鎖線参照）と同一、又は、内側に位置していることが好ましい。同様に、第２凸状部７２の最も突出した部分は、第２先端部持ち手側端部２１と第２持ち手端部３２とを結ぶ仮想線（図１中の二点鎖線参照）と同一、又は、内側に位置していることが好ましい。また、第１凸状部７１と第２凸状部７２は、正面視、山形状に形成されているが、例えば、略三角形状、略矩形形状等種々の形状にすることができる。
【００２９】
このような構成にすれば、第１先端部１から持ち手部３に垂れてくる液体が、連続する第１溝６１のうち少なくとも一つの第１溝６１に溜まったり、第１凸状部７１や第１環状壁８１によって持ち手部３側に液体が垂れるのを阻止されて、液体が重力方向に落ちることにより、第１先端部１から持ち手部３に液体が垂れることを防止することができる。同様に、第２先端部２から持ち手部３に垂れてくる液体が、連続する第２溝６２のうち少なくとも一つの第２溝６２に溜まったり、第２凸状部７２や第２環状壁８２によって持ち手側に液体が垂れるのを阻止されて、液体が重力方向に落ちることにより、第２先端部２から持ち手部３に垂れることを防止することができる。
【００３０】
図６の（ｃ）〜（ｄ）は、上述した液垂れ防止手段ＤＰ（４，５）とは異なる構成の液垂れ防止手段ＤＰ（４，５）の一例である。なお、図６（ｄ´）は、図６（ｄ）のＧ−Ｇ断面図である。
【００３１】
液垂れ防止手段ＤＰ（４，５）は、例えば、図６（ｃ）に示すように、持ち手部３の端面の略中央から先端部Ｐ（１，２）を突設させることにより、先端部Ｐ（１，２）と持ち手部３との間に環状壁８を設ける構成とすることもできるし、図６（ｄ）及び図（ｄ´）に示すように、持ち手部３の端面を持ち手側に向けて凹ませ、この端面の略中央から先端部Ｐ（１，２）を突設させることにより、先端部Ｐ（１，２）と持ち手部３の間に、持ち手側に凹む環状溝８３を形成する構成とすることもできる。つまり、液垂れ防止手段ＤＰ（４，５）は、先端部Ｐ（１，２）から持ち手部３への液垂れを防止することが出来れば良く、液垂れ防止手段ＤＰ（４，５）の構成は特に限定されるものではない。
【００３２】
また、先端部Ｐ（１，２）と持ち手部３との間に液垂れ防止手段ＤＰ（４，５）を設けることにより、先端部Ｐ（１，２）と持ち手部３との境界が明確となり、箸を衛生的に使用することができる。
【００３３】
本実施形態に係る箸は、第１先端部１側及び第２先端部２側のいずれにも液垂れ防止手段ＤＰ（４，５）を設けているが、何れか一方のみに液垂れ防止手段ＤＰ（４，５）を設ける構成としてもよい。その場合、食べさせる側の人は先端部Ｐ（１，２）に液体が残らないように気を付けながら使用することができるので、食べさせられる側の人が使用する先端部Ｐ（１，２）側に液垂れ防止手段ＤＰ（４，５）を設けることが好ましい。
【００３４】
また、上述した箸のように、第１先端部１と第２先端部２の長さや外径寸法を異ならせることによって、第１先端部１と第２先端部２とを識別することは可能であるが、その差異が僅かな場合、瞬時に識別することが難しい場合がある。
【００３５】
そのため、例えば、図７に示すように、第１先端部１と第２先端部２とにそれぞれ異なる形状の滑り止め手段９を設けて、瞬時に第１先端部１と第２先端部２とを視覚的に識別可能な構成にすることもできる。具体的には、第１先端部１には複数の微小突起を形成し、第２先端部２には複数の連続する凹環溝を形成する。このようにすれば、第１先端部１と第２先端部２の識別が容易になる。また、食べさせる側の人が使用する第２先端部２に凹環溝を形成することにより、この凹環溝によっても、液が垂れるのを防止することもでき、第２先端部２から持ち手部３への液垂れをさらに効果的に防止することができる。
【００３６】
また、例えば、持ち手部３及び第１先端部と、第２先端部とをそれぞれ異なる色彩にすることで、食べさせる側の人が使用する部分と食べさせられる側の人が使用する部分とを区別することもできる。
【００３７】
第１先端部１と第２先端部２とを容易に識別する構成は、上記構成に限られず、第１液垂れ防止手段４と第２液垂れ防止手段５を異なる構成にしたり、第１先端部１と前記第２先端部２との、寸法、形状、模様及び色彩の少なくとも一つを異ならせるか、及び／又は、持ち手部３分における前記第１先端部１寄りと前記第２先端部２寄りとの、寸法、形状、模様及び色彩の少なくとも一つを異ならせることによって、第１先端部１と第２先端部２とが視覚的に識別可能にすることもできる。なお、本明細書においては「色彩」には、透明、透光性を有するものも含む。
【００３８】
本実施形態に係る箸の材質は、合成樹脂であるが、木、竹、金属等種々の材料を用いることができる。
【００３９】
本実施形態に係る箸によれば、一対の箸を親子間、介護者と非介護者とで共有しても病原体が感染することなく、かつ、手も汚れず衛生的に使用することができる。
【００４０】
以上のとおり、図面を参照しながら本発明の好適な実施形態を説明したが、本発明の趣旨を逸脱しない範囲で、種々の追加、変更又は削除が可能である。したがって、そのようなものも本発明の範囲内に含まれる。
【符号の説明】
【００４１】
Ｐ    先端部
１    第１先端部
１１  第１先端部持ち手側端部
２    第２先端部
２１  第２先端部持ち手側端部
３    持ち手部
３１  第１持ち手端部
３２  第２持ち手端部
ＤＰ  液垂れ防止手段
４    第１液垂れ防止手段
５    第２液垂れ防止手段
６    溝
６１  第１溝
６２  第２溝
７    凸状部
７１  第１凸状部
７２  第２凸状部
８    環状壁
８１  第１環状壁
８２  第２環状壁
８３  環状溝
９    滑り止め手段
【要約】
【課題】一対の箸を親子間、介護者と非介護者とで共有しても病原体が感染することなく、かつ、手も汚れず衛生的に使用することができる箸を提供する。
【解決手段】箸の一方の端部に先細りの第１先端部を有し、箸の他方の端部に先細りの第２先端部を有する箸であって、前記第１先端部と持ち手部との間に、前記第１先端部から持ち手部への液垂れを防止する第１液垂れ防止手段、及び／又は、前記第２先端部と持ち手部との間に、前記第２先端部から持ち手部への液垂れを防止する第２液垂れ防止手段を設けている箸。
【選択図】図１【図１】
0005943437.tif 000002
【図２】
0005943437.tif 000003
【図３】
0005943437.tif 000004
【図４】
0005943437.tif 000005
【図５】
0005943437.tif 000006
【図６】
0005943437.tif 000007
【図７】
0005943437.tif 000008